(57)【要約】【課題】  被検眼の撮影に適した光量を得る仕組みを得る。【解決手段】  第一の波長帯域に対する感度で補正された眼底画像及び眼底画像の撮像の際の第一光源の光量に応じて第二光源を制御する。【選択図】  図１
2013027617.tif 000002
【特許請求の範囲】
【請求項１】
第一の波長帯域の光を発する第一光源及び前記第一の波長帯域と異なる波長帯域の光を発する第二光源を有し、いずれかの光源から発せられた光で被検眼を照明する照明光学系と、
前記照明光学系を介して照明された前記被検眼の眼底による反射光を、撮影光学系を介して眼底画像として撮像する撮像部と、
前記第一の波長帯域に対する感度で補正された眼底画像及び前記眼底画像の撮像の際の前記第一光源の光量に応じて前記第二光源を制御する制御部と、
を有することを特徴とする眼科装置。
【請求項２】
前記第一の波長帯域の光に対する前記感度を取得する取得部を更に備えることを特徴とする請求項１に記載の眼科装置。
【請求項３】
前記照明光学系と前記撮影光学系の共通光路上に照明光を反射する反射部材を挿脱する反射部を更に備え、前記反射部材が前記光路に挿入された状態で前記第一光源から照射された光で撮像された眼底画像の画素値及びその際の前記第一光源の光量から前記感度を取得することを特徴とする請求項１又は２のいずれか一項に記載の眼科装置。
【請求項４】
前記第一の波長帯域に対する感度を記憶する記憶部を更に備え、前記取得部は前記記憶部に記憶されている感度を取得することを特徴とする請求項１乃至３のいずれか一項に記載の眼科装置。
【請求項５】
前記眼底画像の画素値に基づいて得られた測光値を前記感度を示す情報で補正した値と前記眼底画像の撮像の際の前記第一光源の光量から前記被検眼眼底の反射特性を得る演算部を更に備え、
前記制御部は、前記反射特性に応じて所定の光量が前記被検眼の眼底から反射するように前記第二光源を制御することを特徴とする請求項１乃至４のいずれか一項に記載の眼科装置。
【請求項６】
前記演算部は、眼底画像から前記測光値を得る領域の大きさを撮影部位に応じて変更することを特徴とする請求項５に記載の眼科装置。
【請求項７】
前記取得部は、前記撮像部で得られた画像の画素値の平均値を測光値として得ることを特徴とする請求項５又は６に記載の眼科装置。
【請求項８】
前記制御部は、前記第一の波長帯域に対する感度で補正された眼底画像及び前記眼底画像の撮像の際の前記第一光源の光量に基づいて得られた前記被検眼眼底の反射特性と前記第一光源の光量と対応付けられたテーブルに基づき前記第一光源の光量を制御することを特徴とする請求項１乃至７のいずれか一項に記載の眼科装置。
【請求項９】
前記制御部は、前記制御部は、前記第一の波長帯域に対する感度で補正された眼底画像及び前記眼底画像の撮像の際の前記第一光源の光量に基づいて得られた前記被検眼眼底の反射特性と前記第二光源の光量と対応付けられたテーブルに基づき前記第二光源の光量を制御することを特徴とする請求項１乃至８のいずれか一項に記載の眼科装置。
【請求項１０】
前記撮像部は、前記第一光源を観察光として眼底を動画として撮像し、前記第二光源を撮影光として眼底を静止画として撮像することを特徴とする請求項１乃至９のいずれか一項に記載の眼科装置。
【請求項１１】
前記第二の波長帯域は少なくとも可視の波長帯域を含み、前記第一の波長帯域は赤外であることを特徴とする請求項１乃至１０のいずれか一項に記載の眼科装置。
【請求項１２】
前記第二の波長帯域は４２０〜７５０ｎｍであり、前記第一の波長帯域は８５０ｎｍ帯域であることを特徴とする請求項１乃至１１のいずれか一項に記載の眼科装置。
【請求項１３】
前記撮像部は前記第一の波長帯域用のセンサと、前記第二の波長帯域用のセンサが同一であることを特徴とする請求項１乃至１２のいずれか一項に記載の眼科装置。
【請求項１４】
前記撮像部は前記眼科装置に対して着脱可能であり、異なる感度の他の撮像部と交換できることを特徴とする請求項１乃至１３のいずれか一項に記載の眼科装置。
【請求項１５】
前記制御部は前記第二光源の発光量の積算値が所定値になるように制御することを特徴とする請求項１乃至１３のいずれか一項に記載の眼科装置。
【請求項１６】
観察光で被検眼の眼底をセンサで撮像した眼底画像を得る工程と、
前記眼底画像を撮像した際の前記観察光の光量と前記観察光に対する前記センサの感度を取得する工程と、
前記眼底画像の画素値及び前記観察光の光量及び前記観察光に対する前記センサの感度に基づいて撮影光量を得る工程と、
前記撮影光量の撮影光で前記被検眼の眼底を撮像する工程と、
を有することを特徴とする眼底の撮影方法。
【請求項１７】
請求項１６に記載の撮影方法をコンピュータに実行させるためのプログラム。
【発明の詳細な説明】
【技術分野】
【０００１】
本発明は、撮影の光量を制御する眼科技術に関し、特に撮像された画像から光量を制御する技術に関する。
【背景技術】
【０００２】
従来から、被検眼に光を照射し、被検眼からの反射光を受光することにより得られる被検眼像の観察を行った後、撮影光で被検眼像を静止画像として得る眼科装置が知られている。この被検眼からの光の反射率は個体差で被検眼毎に異なる。そのため、撮像素子が受光する光の光量を適切に制御する技術が必要である。
このような技術として特許文献１には、被検眼に観察光を照射し被検眼から反射された観察光を測光し、測光した値を元に撮影光の光量を決定する技術が開示されている。
さらに、近年では、撮影用途等に応じて、被撮像素子を有する撮影部を交換可能な眼科装置が開発されようとしている。一般に、撮影画像を得るための可視撮影光に対する感度は標準化規格に準じて撮影部毎に調整されている。
しかし、観察に用いられる撮影光と異なる波長帯域に対する撮像素子（例えばＲ，Ｇ，Ｂ）の感度特性が撮影部毎に一定ではない。
また、特許文献２には、交換したデジタルカメラの種類を検知し、検知した情報及び記憶手段に記憶された情報に基づき画像の切出し範囲を設定する技術が開示されている。
【先行技術文献】
【特許文献】
【０００３】
【特許文献１】特開平０４−１５０８３１号公報
【特許文献２】特開２００６−１５８８２２号公報
【発明の概要】
【発明が解決しようとする課題】
【０００４】
しかしながら、同一の被検眼を交換可能な様々な撮影部を用いて撮影すると、異なる露出の画像となることがある。特に、観察と撮影を異なる波長で行う無散瞳撮影等で露出差があらわれやすい問題がある。
また、特許文献２の技術はデジタルカメラ毎にパラメータを取得できるが、感度情報を取得して感度調整を行うことはできない。
本発明の目的は、被検眼の眼底撮影に適した光量を得る仕組みを提供する。
【課題を解決するための手段】
【０００５】
上記の課題を解決するために、本願に係る発明は第一の波長帯域の光を発する第一光源及び前記第一の波長帯域と異なる波長帯域の光を発する第二光源を有し、いずれかの光源から発せられた光で被検眼を照明する照明光学系と、
前記照明光学系を介して照明された前記被検眼の眼底による反射光を、撮影光学系を介して眼底画像として撮像する撮像部と、
前記第一の波長帯域に対する感度で補正された眼底画像及び前記眼底画像の撮像の際の前記第一光源の光量に応じて前記第二光源を制御する制御部と、
を有することを特徴とする。
【発明の効果】
【０００６】
本発明では、本発明の目的は、被検眼の撮影に適した光量を得る仕組みを提供することができる。
【図面の簡単な説明】
【０００７】
【図１】実施例に係る眼底カメラの構成図である。
【図２】実施例に係る眼底カメラ操作部の一部を示す図である。
【図３】実施例に係る眼底カメラの処理の流れを示すフローチャートである。
【図４】実施例に係る光量補正値変更の処理の流れを示すフローチャートである。
【図５】実施例に係る測光値補正方法の処理の流れを示すフローチャートである。
【発明を実施するための形態】
【０００８】
［実施例１］
本発明の眼科撮影装置の例である眼底カメラ１００の構成を図１に基づいて説明する。
【０００９】
撮影光学系は、被検眼Ｅに対向して配置される対物レンズ１と、対物レンズ１の光軸Ｌ１上に設けられた撮影絞り２、フォーカスレンズ３、結像レンズ４からなり、眼底での反射光を撮像素子５に導く。
観察光を照射する際にはその観察光の眼底からの反射光を撮像素子５に導き、撮影光を照射する際にはその撮影光の眼底からの反射光を撮像素子５に導く。
【００１０】
撮像部２２は、撮影光と観察光に感度を有する撮像素子５、撮像素子５の出力信号をＡ／Ｄ変換して画像データを得るＡ／Ｄ変換素子１７と、画像データを記憶するメモリ１８を備える。また、測光部１９、モニタ２０、撮像制御部２１により構成され、眼底カメラ光学部の筐体と図示のないマウント部で着脱可能に固定されている。
この撮影光学系と撮像部２２とで被検眼の眼底の画像を撮像する。
【００１１】
照明光学系は、対物レンズ１、穴明きミラー６、レンズ７、レンズ８、リング絞り９、ダイクロイックミラー１０、およびコンデンサレンズ１１、コンデンサレンズ１３により構成され、観察光及び撮影光を被検眼Ｅに導く。
【００１２】
穴あきミラー６は撮影絞り２の付近に斜設され、穴あきミラー６の反射方向の光軸Ｌ２上にはレンズ７、レンズ８が配置される。また、穴あきミラー６上には、被験眼の角膜Ｅｐへアライメント指標を投影するためのＷＤ光源１５がファイバー１６を介して接続されている。ＷＤ光源１５は７００ｎｍの実質的な単波長若しくは極めて狭い波長帯域の光源である。なお、これ以外の波長帯域を有する光源を利用してもよい。
【００１３】
リング状の開口を有するリング絞り９は光軸中心に遮光部を有し、レンズ７とレンズ８より被検眼Ｅの瞳孔Ｅｐと光学的に略共役な位置に配設している。ダイクロイックミラー１０は観察光の波長帯である第一の波長帯域の光を透過し撮影光の第二の波長帯域の光を反射する特性を有しており、リング絞り９とともに光軸Ｌ２上に配置されている。ダイクロイックミラー１０の反射方向の光軸Ｌ３上には、コンデンサレンズ１１、第二光源としての撮影光源１２が配置されている。ダイクロイックミラー１０の透過方向の光軸Ｌ４上には、コンデンサレンズ１３、第一光源としての観察光源１４が配置されている。
【００１４】
撮影光源１２は、例えば、撮影のパルス光を被検眼に照射する光源である。撮影光源１２は撮影光源制御部２４により制御される。
【００１５】
観察光源１４はＬＥＤが複数個配置され、定常光を被検眼に照射し、観察光源制御部２５により制御される。本実施例では、撮影光源は、目的とする眼底像を撮像するために眼底を照明する光源を指す。また、観察光源は目的の眼底像の撮影前に、眼底カメラと被験眼の位置合わせ等の撮影準備を行うために被検眼に照射する光源を指す。
【００１６】
撮影光を照射して行う本撮影の前に、観察光を照射して得られる眼底像の動画により検査者は眼底を観察し、位置調整やピント合わせその他の撮影条件の調節を行う。本実施例で撮影光源１２は第二の波長帯域である４２０〜７５０ｎｍの広帯域波長光源であり、観察光源１４は第一の波長帯域である８５０ｎｍの実質的な単波長若しくは、８５０ｎｍを中心とする８５０ｎｍ帯域の光源である。観察光源１４を赤外波長光源とすることで、観察時の縮瞳を抑えている。
【００１７】
眼底照明光学系、撮影光源１２及び観察光源１４により、被検眼に観察光及び撮影光を照射し眼底を照明する。
【００１８】
上記構成は、ひとつの筐体に保持され、眼底カメラ光学部を構成している。そして、眼底カメラ光学部は不図示の摺動台に載せられており、被検眼Ｅとの位置合わせができるようになっている。
【００１９】
制御部２３は図示しないＣＰＵ１０１を備えＲＡＭやＲＯＭに格納されているコンピュータプログラムやデータを用いて眼底カメラの全体的な制御を行う。また、コンピュータプログラムの実行により図３、図５のフローチャートの処理が実行される。
【００２０】
また、制御部２３は撮影光量演算部２６、観察光量演算部２７、測光値補正部２００を有する。また、測光部１９、画像メモリ２８、光量メモリ２９、操作部３０、撮影スイッチ３１と接続されている。
【００２１】
撮影光量演算部２６、観察光量演算部２７、及び測光値補正部２００は、観察光源１４が被験眼に照射した観察光量の情報に基づいてそれぞれ撮影、観察光源の光量を決定する。
【００２２】
撮影光量補正部３２及び観察光量補正部３３で撮影者が撮影光量補正値Ｆｆ及び観察光量補正値Ｆｏを入力する
ここで、光量とは、単位面積当たり一定時間内に照射される放射エネルギーのことをいい、光束Φの、ある与えられた時間Δｔにわたる時間積分である。本実施例に係る眼底カメラ１００では、不図示のシャッターを開いた状態とし、
観察光源１４は、その光強度を調整することで光量を調節する。
【００２３】
また、制御部２３は発光量の積算値が所定値になるように撮影光源１２を調整することで測光部１９が受光する撮影光の光量を調節する。
【００２４】
操作部３０は検査者からの指示を入力するために設けられたものであり、少なくとも撮影光量補正部３２、観察光量補正部３３、光量制御切替部３４、不図示の固視灯選択部３５０を含む。図２にスイッチが含まれる操作部の一部を示す。操作部３０は例えばジョイスティック、ダイヤル、スイッチ等で構成される。本実施例において撮影光量補正部３２、観察光量補正部３３、光量制御切替部３４は撮影者が押下可能なスイッチである。
【００２５】
撮影光量補正部３２は、自動撮影光量制御における光量補正、もしくはマニュアル光量制御における光量設定に使用するため、光量の正補正、負補正ができるよう独立した２つのスイッチで構成されている。
観察光量補正部３３も同様の構成である。
【００２６】
固視灯選択部３５０は、視神経乳頭部、眼底全体観察の少なくともいずれかを選択し、選択された撮影部位に従い固視灯を点灯する位置を変更して被検者の視方向を誘導する。
【００２７】
視神経乳頭部が選択された場合には、撮影光学系の光軸中心部に視神経乳頭部が視方向が誘導されるように固視灯を選択して点灯する。眼底全体観察が選択された場合には、撮影光学系の光軸中心部に視神経乳頭部と黄斑部の中間位置の領域くるように視方向が誘導されるように固視灯を選択して点灯する。
【００２８】
また、本実施例におけるその他操作部の機能を述べる。まず不図示のジョイスティックにより、検者側から見て前後左右に倒す事で被検眼と眼底カメラ本体との前後左右方向の位置関係を調整可能である。さらにダイヤルを回す事で被検眼と眼底カメラ本体との上下方向の位置関係を調整可能である。
【００２９】
眼底カメラ１００の処理について図３に記載の処理の流れを示すフローチャートに従って説明する。
【００３０】
ステップＳ１０１にて、前記第一光源としての観察光源１４は観察光を射出する。観察光源１４が射出した観察光は、被検眼Ｅの眼底Ｅｒを照明する。
【００３１】
観察光源１４から照射された光により照明される眼底Ｅｒからの反射散乱した光束は、戻り光として瞳孔Ｅｐから被検眼Ｅを出て、撮像素子５に達する。撮像素子５を含む撮像部２２は、撮像素子５に達した光を受光して眼底像を眼底画像として撮像する。この処理では、撮像素子５の各画素は観察光を受光し、夫々受光量に応じた電気信号を出力する。各画素からの出力はＡ／Ｄ変換素子１７によりＡ／Ｄ変換され、眼底画像データとしてメモリ１８に格納される。またデジタル信号化された撮像素子５からの出力は、撮像制御部２１を介してモニタ２０に出力される。メモリ１８に格納された画像をモニタ２０で表示してもよい。これにより眼底観察像が映し出される（ステップＳ１０２）。
【００３２】
観察光源１４の受光量は、モニタ２０に映出された眼底像が適当な明るさとなるよう、眼底カメラ１００による自動制御、もしくは操作者が操作部３０を操作することにより調整される。
【００３３】
またＷＤ光源１５はファイバー１６を介して、アライメント指標を被験眼の角膜Ｅｐに投影する。操作者は図示のないジョイスティックを使い、投影されたアライメント指標を参照し、被検眼Ｅと眼底カメラ光学部との位置合わせを行う。
【００３４】
更に、フォーカスレンズ３の光軸方向の位置を図示の無いフォーカスノブを操作することによって調整し、映出された眼底像のピント調整を行う。
【００３５】
ステップＳ１０３にて、測光部１９はメモリ１８に保存された画像から、画素値の平均画素値を測光値Ｓとして算出する。
【００３６】
ここで、前記固視灯選択部３５０で選択された部位に応じて測光値Ｓを計算する領域の大きさを変更する。視神経乳頭での反射光量は他の部位と比べて大きいため視神経乳頭部の領域内から測光値Ｓを計算することが好ましい。他の領域を含むと平均値が下がる傾向にあるためである。それに対して眼底全体観察では、撮影時の画像全体からの戻り光を一定値にすることが好ましい。そのため測光値Ｓは眼底が撮像されている範囲から計算される。算出された測光値Ｓは、測光値補正部２００、撮影光量演算部２６、及び観察光量演算部２７に出力する。
【００３７】
ここで本発明において特徴的な制御である観察光量、撮影光量を定める方法について、ステップＳ１０４〜ステップＳ１０７を用いて説明する。
【００３８】
ステップＳ１０４では、測光部１９により算出された測光値Ｓを、撮像素子５の観察状態での感度に合わせて補正する。このステップＳ１０４における測光値Ｓの補正方法については、後述詳しく説明する。
【００３９】
ステップＳ１０５にて、制御部２３は自動光量制御ＯＮ／ＯＦＦの判定を行う。前述の通り、自動光量制御ＯＮ／ＯＦＦは光量制御切替部３４で行う。自動光量制御ＯＮの場合はステップＳ１０６に移行し、自動光量制御ＯＦＦの場合はステップＳ１０７に移行する。
【００４０】
自動光量制御ＯＮの場合、ステップＳ１０６にて、取得部としての撮影光量演算部２６は測光部１９で得られた観察光の測光値Ｓと、観察光源１４の観察光の光量の値から眼底からの反射光の光量の割合を得る。そして、眼底からの反射光の光量の割合を被検眼眼底の反射特性としての眼底反射率Ｒとして求める。
【００４１】
撮影光量演算部２６には、眼底反射率Ｒと、眼底が適正な露出で撮影できる撮影光量とが対応付けられたテーブル情報が格納されており、撮影光量演算部２６はこの情報を参照して、眼底が適正露出で撮影できる標準撮影光量Ｐｆｓを得る。
【００４２】
さらに撮影光量補正値Ｆｆによって増減され、撮影光量演算部２６は制御撮影光量Ｐｆを算出する。
【００４３】
またステップＳ１０６では、眼底反射率Ｒと、眼底が適正な露出で観察できる観察光量とが対応付けられたテーブル情報を参照し、眼底が適正露出で観察できる標準観察光量Ｐｏｓを得る。
【００４４】
さらに観察光量補正値Ｆｏによって増減され、撮影光量演算部２７は制御撮影光量Ｐｏを算出する。尚、本実施例において撮影光量演算部２６、及び観察光量演算部２７は眼底の反射特性と、適正露出で観察、撮影を行う事ができる光量が対応付けされたテーブル情報を元に、制御撮影光量Ｐｆ、制御観察光量Ｐｏを算出している。ここで、部位別に測光値Ｓを得る領域を変更する場合には、テーブルは部位別に用意される。即ち、少なくとも神経乳頭部用と画像全体用である。
【００４５】
このように、撮影を行う光量である制御撮影光量Ｐｆは、被験眼の眼底反射特性から自動的に定められる標準撮影光量Ｐｆｓと、撮影光量補正値Ｆｆの加算により算出される。
【００４６】
また観察を行う光量である制御観察光量Ｐｏは、被験眼の眼底反射特性から自動的に定められる標準観察光量Ｐｏｓと観察光量補正値Ｆｏの加算により算出される。
【００４７】
自動光量制御ＯＦＦの場合、ステップＳ１０７では、中央制御部２２は撮影光量補正値Ｆｆを、制御撮影光量Ｐｆに代入する。また観察光量補正値Ｆｏを、制御撮影光量Ｐｏに代入する。
【００４８】
ステップＳ１０６、もしくはステップＳ１０７を経てステップＳ１０８に移行する。
ステップ１０８にて、中央制御部２２は撮影光量演算手段２６により算出された制御撮影光量Ｐｆを光量メモリ２９に格納する。また、観察光量光源制御部２５は、観察光量演算部２７で算出された制御観察光量Ｐｏとなるよう観察光源１４を制御し、観察光源１４は制御に応じて観察光を被検眼Ｅに照射する。
【００４９】
次に検査者は、位置合わせとピント調整が完了すると、撮影スイッチ３１を押す（ステップＳ１０９）。
【００５０】
ステップＳ１１０にて撮影光源制御部２４は、この決定された光量となるよう撮影光源１２を制御し、撮影光源１２は制御に応じて可視光を被検眼Ｅに照射する。撮影光源１２から発した光束は、被検眼Ｅの眼底Ｅｒを照明する。
【００５１】
ステップＳ１１１にて撮像部２２は可視光が照射された眼底を撮像する。撮影光源１２から発した光束により照明された眼底Ｅｒからの反射散乱した戻り光である光束は、瞳孔Ｅｐから被検眼Ｅを射出し、撮像素子５に達する。撮像素子５はこの可視光を受光して電子信号を生成する。Ａ／Ｄ変換素子１７はこの信号をデジタル信号化し、制御部２３はこの信号を静止画像データとして画像メモリ２８に保存する。
【００５２】
ここで、ステップＳ１０４に相当する、測光値補正部２００での測光値の補正方法について、図４および図５を用いて説明する。
【００５３】
図４は、感度特性の異なる複数の撮像部が交換可能に着脱される構成を示している。撮像部２２ａと撮像部２２ｂは、眼底カメラ光学部の筐体と図示のないマウント部で着脱可能であって、感度特性の異なる撮像部２２のそれぞれ一例である。
【００５４】
図１で説明した撮像部２２に記載と同一番号のものは、同一のものである。
【００５５】
図３のステップＳ１０１〜ステップＳ１０３で説明したように、測光部１９ａによって算出される測光値Ｓａは、撮像素子５ａに撮像された観察画像をもとに算出される。同様に、測光値Ｓｂは、撮像素子５ｂに撮像された観察画像をもとに算出される。
【００５６】
このとき、例えば、同じ被検眼に対して、撮像部２２ａと撮像部２２ｂのどちらの撮影部であっても、測光値Ｓａと測光値Ｓｂが同じ値の場合を考える。前述でステップＳ１０６について説明したように、制御撮影光量Ｐｆおよび制御観察光量Ｐｏは同一の値となる。したがって、同じ被検眼に対して撮影光量と観察光量は、同一となる。
【００５７】
次に、撮像部２２ａと撮像部２２ｂについて説明する。撮像部２２ａと撮像部２２ｂはともに、静止画像の撮影に使用する光の波長域の感度について精密に調整されている。これは、同一感度において撮影画像の露出に差が出ないようにするためである。また、撮像部２２ａと撮像部２２ｂの一般的な用途では、観察時に使用する光の波長と撮影時に使用する光の波長が同じであるため、観察に使用する光の波長域の感度については調整の必要が無い。
【００５８】
ところが、本実施例のように撮影光源１２の波長域と観察光源１４の波長域が異なる場合、観察に使用する光の波長域の感度が精密に調整されていないため、不具合を引き起こしてしまう。
【００５９】
同じ被検眼に対して、測光値Ｓａと測光値Ｓｂが異なる値となってしまうことにある。これは、測光値Ｓａと測光値Ｓｂは、それぞれ撮像素子５ａと撮像素子５ｂに撮像された観察画像をもとに算出されるので、観察の感度に差によって測光値Ｓａと測光値Ｓｂに差が出ているためである。
【００６０】
特に、本実施例のように撮影光源１２として４２０〜７５０ｎｍの波長域の光源を使用し、観察光源１４として８５０ｎｍの波長域の光源を使用する場合では、感度差が顕著にあらわれてしまう。
【００６１】
このため、観察時の測光値Ｓａと測光値Ｓｂを用いて光量制御を行う眼科撮影装置では、撮像部２２ａと撮像部２２ｂとで、同じ被検眼に対して露出の異なる画像となってしまう。
【００６２】
このことは、撮像部２２ａと撮像部２２ｂでは、撮像素子５ａと撮像素子５ｂに対してそれぞれ精密に調整された静止画像を撮影する光の波長域の感度に対して、それぞれの観察に使用する光の波長域の感度の差が一定ではないことにもなる。
【００６３】
たとえば、静止画像を撮影する光の波長域の感度に対し、観察に使用する光の波長域の感度が大きくなると測光値Ｓが大きな値となり、逆に感度が小さい場合には測光値Ｓが小さな値となる。したがって、撮像部２２ａと撮像部２２ｂとでは、同じ被検眼に対して、測光値が異なってしまうのである。その結果、露出の異なる撮影画像となることに加え、観察光量も同様の理由で異なってしまうため、観察像の見え方も変わってしまう。
【００６４】
本発明では、以上説明した不具合を解決するために測光値補正部２００を構成している。次に、この測光値補正部２００の内部の処理については、図５を用いて説明する。
【００６５】
ステップＳ５０１にて、撮像部２２の感度情報としての測光値補正値を取得する。本実施例において、測光値補正値がバックアップデータとして記憶部としての不揮発性ＲＡＭなどに記録可能になっており、たとえば、撮像部２２ａを用いる場合には、測光値補正値が１．１のような値が記録されている。また、撮像部２２ｂを用いる場合には、測光値補正値が０．９のような値が記録されている。
【００６６】
このほかにも、撮像部２２ａと撮像部２２ｂの測光値補正値をあらかじめ測光値補正値テーブルとして記憶する方法も考えられる。撮像部２２ａと撮像部２２ｂを頻繁に交換して撮影を行う場合には、測光値補正値テーブルとして記憶し、撮像部２２ａと撮像部２２ｂの識別情報を元に、装置側で自動的に判別する。本実施例では、識別情報として撮像部２２ａ及び撮像部２２ｂの内部に記憶されるＩＤを元に中央制御部２２が自動的に判別する。
【００６７】
ここで、測光値補正値の算出方法について説明する。本実施例では、撮像部２２ａが眼底カメラ光学部のマウント部に取り付けた状態で、基準観察光量を対物レンズ１から照射し、その時の測光値Ｓａを取得する。次に、装置の基準になる基準測光値Ｓ０を用いて測光値Ｓａを除算し、感度を示す情報としての測光値補正値をバックアップしておく。ここで、基準測光値Ｓ０は、基準観察光量を照射した際に撮像部で撮像されるべき光量を意味する。
【００６８】
照明光学系と撮影光学系の共通光路上に照明光を反射する反射部材を挿脱する反射部１１０（図示しない）を備える。反射部材が共通光路に挿入された状態で観察光源１４から照射された光で撮像された眼底画像の画素値及びその際の観察光源１４の光量から感度を取得する。ここで、共通光路とは対物レンズ１から絞り２までの光路を意味する。
【００６９】
例えば、対物レンズ１に反射部材をキャップをした状態で、観察光源１４を基準観察光量で照射し、その時の測光値Ｓａを取得する。また、撮像部２２ｂを取り付けた状態でも、同様の方法で、感度を示す情報としての測光値補正値を算出することが可能である。
【００７０】
本実施例のように、撮像部２２を簡略化する場合には、測光値補正部２００を眼底カメラ１００の光学部の筐体に構成する構成が望ましい。一方、測光値補正部２００を撮像部２２内部に構成する方法も考えられる。詳細については説明を省略するが、この場合には、補正後の測光値を用いることができるため、眼底カメラ１００の光学部の筐体を簡略化できる。
【００７１】
いずれにしても、その構成は同一であり、用途に合わせて測光値補正部２００の配置を変更可能である。
【００７２】
ステップＳ５０１で得られた感度を示す情報としての測光値補正値を用いて、ステップＳ５０２では、測光部１９から得られた測光値Ｓに乗算する。ここでの測光値Ｓは撮像部で得られた眼底画像の平均値である。
【００７３】
たとえば、撮像部２２ａから得られた測光値Ｓａ（眼底画像の平均値）が９０、撮像部２２ｂから得られた測光値Ｓｂが１１０であった場合、ステップＳ５０２の処理後の測光値は、それぞれ、９０×１．１＝９９と１１０×０．９＝９９となる。
【００７４】
ステップＳ５０３では、ステップＳ５０２で感度補正された測光値と撮影の際の光量から被検眼の眼底の反射特性を得る。なお、本実施例では測光値Ｓを画像から計算する構成にしているが、撮像素子５の出力を直接に感度情報で補正してもよい。
【００７５】
以上説明したように、測光値補正部２００を構成して、測光値を感度で補正している。このため、同じ被検眼に対して、撮像部２２ａから得られた測光値Ｓａが９０、撮像部２２ｂから得られた測光値Ｓｂが１１０となった場合でも、測光値Ｓは９９として図３に記載のステップＳ１０５以降の処理につながっていく。
【００７６】
また、測光値補正部２００は、測光値を補正する方法として説明しているが、このことは、撮影時と観察時の感度差を一定にしていることになる。つまり、精密に調整されている撮影光の波長域に対する感度を基準にすると、観察時と撮影時の感度差を補正しているととらえることもできる。
【００７７】
測光値補正部２００を構成しない従来の装置では、上記の例のように、撮像部２２ａから得られた測光値Ｓａが９０、撮像部２２ｂから得られた測光値Ｓｂが１１０となった場合、撮影光量および観察光量に、測光値の比である約２０％の差がでてしまう。よって、操作者には、観察画像の明るさの異なる使い勝手の悪い装置になるとともに、撮影画像を受け取った読影者にとっても、撮影画像の露出の異なる精度の悪い装置となってしまう。
【００７８】
上述の処理により、本発明では、眼底からの反射光の測光値を感度を示す測光値で補正を行うことで被験眼の眼底反射特性を求め、それにより、撮影部を変更しても、適正露出で撮影、観察可能な撮影光量及び観察光量を算出する。
【００７９】
さらに、撮像部の識別情報を元に自動的に撮影部を判別する構成とした。これにより、操作者が撮影部を交換する際に、特別な操作をすることなく、撮影、観察それぞれの目的に合致した適切光量に観察、撮影光量が自動制御され、良好な眼底検査を行うことができる。
【００８０】
また、眼底からの反射光の測光値を感度を示す測光値で補正をする構成を撮影部に設けることにより、操作者が撮影部を交換する際に、特別な操作をすることなく、撮影、観察それぞれの目的に合致した適切光量に観察、撮影光量が自動制御され、良好な眼底検査を行うことができる。
【００８１】
本実施例では、観察光の反射光と撮影光の反射光をともに撮像素子５に導く構成としている。第一の波長帯域用のセンサと、第二の波長帯域用のセンサが同一である。同一とする場合には光学部材が共用できコンパクトに撮像部を構成することができる。また、観察系と撮影系がセンサ部分まで同一なので観察時の眼底の反射特性を撮影時の反射特性として用いる場合の精度が上がる。
【００８２】
（その他の実施例）
実施例１では撮影光源１２は４２０〜７５０ｎｍの広帯域波長光源、観察光源１４は８５０ｎｍの実質的な単波長若しくは極めて狭い波長帯域の光源としているが、これら以外の波長帯域を有する光源を利用してもよい。また、撮影光源１２と観察光源１４の波長帯域が大きく重複する場合においては、両光源を同一光軸上に設ける構成でも良い。
【００８３】
実施例１では、観察光源１４、撮影光源１２の照射前から照射後に至るまで不図示のシャッターを開いた状態とし、観察光源１４は、その光強度を調整することで、撮影光源１２は撮影光を射出する時間を調整することでセンサが受光する撮影光の光量を調節する。しかし、これに限らず、所望の露出に対応させて、光路に遮蔽物やフィルタの挿脱を行う事でセンサが受光する光量を調整してもよい。また撮影光源１２のセンサ到達光量の調整については、光強度の調整、シャッターを開いた時間（シャッタースピード）の調整により行ってもよい。
【００８４】
実施例１において撮影光量補正部３２は、正補正、負補正の入力に対応するために独立した２つのスイッチから構成されているが、スライドスイッチやシーソースイッチ等の形状をとり、１つのスイッチで正補正、負補正ができるようにしてもよい。観察光量補正部３２についても同様。
【００８５】
実施例１において操作部３０が果たす機能について、制御部２３による制御によって変更するようにしても、機能毎に別々のダイヤル、ボタン等を設けてもよい。また、ジョイスティック、ダイヤルにより行われる眼底カメラ本体部の位置調整は、制御部２３により自動的に行ってもよい。
【００８６】
また、撮影光量補正値Ｆｆ、観察光量補正値Ｆｏの初期値は操作者が設定手段により設定できるようにしてもよい。
【００８７】
撮影、観察補正値の個別／連動変更の設定手段を操作部３０にスイッチ等として設けてもよい。
【００８８】
実施例１において、制御部２３、画像メモリ２８、撮影光量演算部２６、観察光量演算部２７、測光値補正部２００、操作手段３０、撮影光量補正部３２、観察光量補正部３３、光量制御切替部３４が眼底カメラ１００内に構成されている。しかし上記構成が担う機能のうち、一部、もしくは全部を、眼底カメラ１００と接続された外部コンピュータが担う構成としてもよい。
【００８９】
以上説明したように、被検眼からの反射光を受光する観察時の撮像素子の感度と、撮影時の撮像手段の感度との感度差があっても補正できるようになっている。このため、デジタルカメラの交換による影響がなく、適切な撮光量での撮影が可能であり観察画像、撮影画像の明るさが適切となっている。それにより、デジタルカメラの交換による撮影画像の露出への影響を意識することがない。
【００９０】
このように、被検眼の眼底撮影に適した光量を得る仕組みを提供することができる。
【符号の説明】
【００９１】
１２  撮影光源
１４  観察光源
１５  ＷＤ光源
１７  Ａ／Ｄ変換素子
１８  メモリ
１９  測光部
２０  モニタ
２１  撮像制御部
２２  撮像部
２３  制御部
２４  撮影光源制御部
２５  観察光源制御部
２６  撮影光量演算部
２７  観察光量演算部
２８  画像メモリ
２９  光量メモリ
３０  操作部
３２  撮影光量補正部
３３  観察光量補正部
３４  光量切替部
２００  測光値補正部
【図１】
2013027617.tif 000003
【図２】
2013027617.tif 000004
【図３】
2013027617.tif 000005
【図４】
2013027617.tif 000006
【図５】
2013027617.tif 000007